(57)【要約】【課題】誤ってＨＤＭＩ対応の映像表示音声出力機器の入力選択が切り替わってしまった際に、ＨＤＭＩ対応の映像音声信号出力機器から出力される映像音声信号に基づく映像および音声をユーザが視聴し損なうことを防止することができる映像音声システムを提供する。【解決手段】ＨＤＤ搭載ＤＶＤレコーダ１００とテレビ受像機２００とを備えた映像音声システムであって、ＨＤＤ搭載ＤＶＤレコーダ１００が、記録媒体に記録されている映像音声信号を再生する再生部（ＨＤＤ記録再生部５、ＤＶＤ記録再生部６）を有し、前記再生部が再生を行っているときに、テレビ受像機２００が、ＨＤＭＩ端子Ｔ２から他の外部入力端子又は非外部入力に入力選択を切り替えると、前記再生部が再生を一時停止にする映像音声システム。【選択図】図１
2010177856.tif 000002
【特許請求の範囲】
【請求項１】
映像音声信号を出力するＨＤＭＩ対応の映像音声信号出力機器と、入力された映像音声信号に基づいて映像の表示および音声の出力を行うＨＤＭＩ対応の映像表示音声出力機器とを備えた映像音声システムであって、
前記映像音声信号出力機器が、記録媒体に記録されている映像音声信号を再生する再生部を有し、
前記再生部が再生を行っているときに、前記映像表示音声出力機器が、ＨＤＭＩケーブルを介して前記映像音声信号出力機器に接続されているＨＤＭＩ端子から他の外部入力端子又は非外部入力に入力選択を切り替えると、前記再生部が再生を一時停止にすることを特徴とする映像音声システム。
【請求項２】
前記映像音声信号出力機器が、記録媒体に映像音声信号を記録する記録部と、テレビ放送信号の選局を行うチューナとを有し、
前記映像音声信号出力機器が、前記チューナからの映像音声をＨＤＭＩ送信しているときに、前記映像表示音声出力機器が、ＨＤＭＩケーブルを介して前記映像音声信号出力機器に接続されているＨＤＭＩ端子から他の外部入力端子又は非外部入力に入力選択を切り替えると、前記記録部が前記チューナからの映像音声の録画を開始する請求項１に記載の映像音声システム。
【請求項３】
入力された映像音声信号に基づいて映像の表示および音声の出力を行うＨＤＭＩ対応の映像表示音声出力機器であって、
映像音声信号を出力するＨＤＭＩ対応の映像音声信号出力機器にＨＤＭＩケーブルを介して接続されているＨＤＭＩ端子から他の外部入力端子又は非外部入力に入力選択を切り替えると、前記ＨＤＭＩ端子から他の外部入力端子又は非外部入力に前記映像表示音声出力機器の入力選択が切り替わった旨のＣＥＣコマンドを、前記ＨＤＭＩケーブルを介して前記映像音声信号出力機器に通知することを特徴とする映像表示音声出力機器。
【請求項４】
映像音声信号を出力するＨＤＭＩ対応の映像音声信号出力機器であって、
記録媒体に記録されている映像音声信号を再生する再生部を有し、
前記再生部が再生を行っているときに、入力された映像音声信号に基づいて映像の表示および音声の出力を行うＨＤＭＩ対応の映像表示音声出力機器から、前記映像音声信号出力機器にＨＤＭＩケーブルを介して接続されているＨＤＭＩ端子から他の外部入力端子又は非外部入力に前記映像表示音声出力機器の入力選択が切り替えった旨のＣＥＣコマンドを受け取ると、前記再生部が再生を一時停止にすることを特徴とする映像音声信号出力機器。
【請求項５】
記録媒体に映像音声信号を記録する記録部と、テレビ放送信号の選局を行うチューナとを有し、
前記チューナからの映像音声をＨＤＭＩ送信しているときに、入力された映像音声信号に基づいて映像の表示および音声の出力を行うＨＤＭＩ対応の映像表示音声出力機器から、前記映像音声信号出力機器にＨＤＭＩケーブルを介して接続されているＨＤＭＩ端子から他の外部入力端子又は非外部入力に前記映像表示音声出力機器の入力選択が切り替えった旨のＣＥＣコマンドを受け取ると、前記記録部が前記チューナからの映像音声の録画を開始する請求項４に記載の映像音声信号出力機器。
【請求項６】
入力された映像音声信号に基づいて映像の表示および音声の出力を行うＨＤＭＩ対応の映像表示音声出力機器であって、
映像音声信号を出力するＨＤＭＩ対応の映像音声信号出力機器から通知される前記映像音声信号出力機器の状態を示すＣＥＣコマンドを受け取って、前記映像音声信号出力機器の状態を把握し、
前記映像音声信号出力機器にＨＤＭＩケーブルを介して接続されているＨＤＭＩ端子から他の外部入力端子又は非外部入力に入力選択を切り替えると、前記映像音声信号出力機器の状態に応じて再生の一時停止指令又は録画開始指令のＣＥＣコマンドを、前記ＨＤＭＩケーブルを介して前記映像音声信号出力機器に通知することを特徴とする映像表示音声出力機器。
【請求項７】
映像音声信号を出力するＨＤＭＩ対応の映像音声信号出力機器であって、
記録媒体に記録されている映像音声信号を再生する再生部を有し、
前記映像音声信号出力機器の状態を示すＣＥＣコマンドを、入力された映像音声信号に基づいて映像の表示および音声の出力を行うＨＤＭＩ対応の映像表示音声出力機器にＨＤＭＩケーブルを介して通知し、
前記映像表示音声出力機器から通知される再生の一時停止指令のＣＥＣコマンドを受け取ると、前記再生部が再生を一時停止にすることを特徴とする映像音声信号出力機器。
【請求項８】
記録媒体に映像音声信号を記録する記録部と、テレビ放送信号の選局を行うチューナとを有し、
前記映像表示音声出力機器から通知される録画開始指令のＣＥＣコマンドを受け取ると、前記記録部が前記チューナからの映像音声の録画を開始する請求項７に記載の映像音声信号出力機器。
【発明の詳細な説明】
【技術分野】
【０００１】
本発明は、映像音声信号を出力するＨＤＭＩ（High Definition Multimedia Interface）対応の映像音声信号出力機器と、入力された映像音声信号に基づいて映像の表示および音声の出力を行うＨＤＭＩ対応の映像表示音声出力機器と、それらを備えた映像音声システムとに関する。
【背景技術】
【０００２】
近年、ＨＤＭＩ対応の映像音声信号出力機器として、例えば、ＨＤＭＩ端子を有する光ディスク再生装置（ＤＶＤプレイヤやＢＤプレイヤ等）、ＨＤＭＩ端子を有する光ディスク記録再生装置（ＤＶＤレコーダやＢＤレコーダ等）、ＨＤＭＩ端子を有するハードディスクレコーダ、或いはこれらの複合機などが普及している。そして、ＨＤＭＩ対応の映像音声信号出力機器にＨＤＭＩ接続して用いるＨＤＭＩ対応の映像表示音声出力機器としては、ＨＤＭＩ端子を有するテレビジョン受像機などが知られている。
【先行技術文献】
【特許文献】
【０００３】
【特許文献１】特開２００８−２２８０８５号公報（請求項１、請求項２、及び段落００７９）
【特許文献２】特開２００８−３４９６５号公報（請求項３及び段落００３２）
【特許文献３】特開２００７−２２８０４６号公報（請求項１〜３及び段落００１５）
【特許文献４】特表２００５−５２４９２６号公報（請求項３）
【特許文献５】特開２００７−１９４８４５号公報（請求項３）
【発明の概要】
【発明が解決しようとする課題】
【０００４】
ところで、映像音声システムでは、ＨＤＭＩ対応の映像表示音声出力機器が、ＨＤＭＩケーブルを介してＨＤＭＩ対応の映像音声信号出力機器に接続されているＨＤＭＩ端子を選択し、ＨＤＭＩ対応の映像音声信号出力機器から出力される映像音声信号に基づいて映像の表示および音声の出力を行っている状態から、ユーザの誤操作により、他のＨＤＭＩ端子、ＨＤＭＩ以外の外部入力端子、或いは非外部入力のいずれかを選択してしまう場合がある。従来の映像音声システムでは、このような場合、ＨＤＭＩケーブルを介してＨＤＭＩ対応の映像音声信号出力機器に接続されているＨＤＭＩ端子を選択し直す迄の間、ＨＤＭＩ対応の映像音声信号出力機器から出力される映像音声信号に基づく映像および音声をユーザが視聴し損なうという問題があった。
【０００５】
なお、特許文献１〜５には、映像音声信号を出力するＨＤＭＩ対応の映像音声信号出力機器と、入力された映像音声信号に基づいて映像の表示および音声の出力を行うＨＤＭＩ対応の映像表示音声出力機器とを備えた映像音声システムが開示されているが、特許文献１〜５に開示されている映像音声システムは上記の問題を解決するものではない。
【０００６】
本発明は、上記の状況に鑑み、誤ってＨＤＭＩ対応の映像表示音声出力機器の入力選択が切り替わってしまった際に、ＨＤＭＩ対応の映像音声信号出力機器から出力される映像音声信号に基づく映像および音声をユーザが視聴し損なうことを防止することができる映像音声システム、並びに、当該映像音声システムを構成する機器である映像音声信号出力機器及び映像表示音声出力機器を提供することを目的とする。
【課題を解決するための手段】
【０００７】
上記目的を達成するために本発明に係る映像音声システムは、映像音声信号を出力するＨＤＭＩ対応の映像音声信号出力機器と、入力された映像音声信号に基づいて映像の表示および音声の出力を行うＨＤＭＩ対応の映像表示音声出力機器とを備えた映像音声システムであって、前記映像音声信号出力機器が、記録媒体に記録されている映像音声信号を再生する再生部を有し、前記再生部が再生を行っているときに、前記映像表示音声出力機器が、ＨＤＭＩケーブルを介して前記映像音声信号出力機器に接続されているＨＤＭＩ端子から他の外部入力端子又は非外部入力に入力選択を切り替えると、前記再生部が再生を一時停止にするようにしている。
【０００８】
このような構成によると、ＨＤＭＩ対応の映像表示音声出力機器から出力される再生映像音声信号に基づく映像および音声をユーザが視聴し損なうことを防止できる。
【０００９】
また、上記映像音声システムにおいて、前記映像音声信号出力機器が、記録媒体に映像音声信号を記録する記録部と、テレビ放送信号の選局を行うチューナとを有し、前記映像音声信号出力機器が、前記チューナからの映像音声をＨＤＭＩ送信しているときに、前記映像表示音声出力機器が、ＨＤＭＩケーブルを介して前記映像音声信号出力機器に接続されているＨＤＭＩ端子から他の外部入力端子又は非外部入力に入力選択を切り替えると、前記記録部が前記チューナからの映像音声の録画を開始するようにしてもよい。
【００１０】
このような構成によると、ＨＤＭＩ対応の映像表示音声出力機器から出力される再生映像音声信号に基づく映像および音声をユーザが視聴し損なうことを防止できる他、ＨＤＭＩ対応の映像表示音声出力機器内部のチューナからの映像音声をＨＤＭＩ対応の映像表示音声出力機器がＨＤＭＩ送信した映像音声信号に基づく映像および音声をユーザが視聴し損なうことも防止できる。
【００１１】
また、本発明に係る映像表示音声出力機器の一形態は、入力された映像音声信号に基づいて映像の表示および音声の出力を行うＨＤＭＩ対応の映像表示音声出力機器であって、映像音声信号を出力するＨＤＭＩ対応の映像音声信号出力機器にＨＤＭＩケーブルを介して接続されているＨＤＭＩ端子から他の外部入力端子又は非外部入力に入力選択を切り替えると、前記ＨＤＭＩ端子から他の外部入力端子又は非外部入力に前記映像表示音声出力機器の入力選択が切り替わった旨のＣＥＣコマンドを、前記ＨＤＭＩケーブルを介して前記映像音声信号出力機器に通知するようにしている。
【００１２】
上記本発明に係る映像表示音声出力機器の一形態と対となる本発明に係る映像音声信号出力機器の一形態は、映像音声信号を出力するＨＤＭＩ対応の映像音声信号出力機器であって、記録媒体に記録されている映像音声信号を再生する再生部を有し、前記再生部が再生を行っているときに、入力された映像音声信号に基づいて映像の表示および音声の出力を行うＨＤＭＩ対応の映像表示音声出力機器から、前記映像音声信号出力機器にＨＤＭＩケーブルを介して接続されているＨＤＭＩ端子から他の外部入力端子又は非外部入力に前記映像表示音声出力機器の入力選択が切り替えった旨のＣＥＣコマンドを受け取ると、前記再生部が再生を一時停止にするようにしている。さらに、記録媒体に映像音声信号を記録する記録部と、テレビ放送信号の選局を行うチューナとを有し、前記チューナからの映像音声をＨＤＭＩ送信しているときに、入力された映像音声信号に基づいて映像の表示および音声の出力を行うＨＤＭＩ対応の映像表示音声出力機器から、前記映像音声信号出力機器にＨＤＭＩケーブルを介して接続されているＨＤＭＩ端子から他の外部入力端子又は非外部入力に前記映像表示音声出力機器の入力選択が切り替えった旨のＣＥＣコマンドを受け取ると、前記記録部が前記チューナからの映像音声の録画を開始するようにしてもよい。
【００１３】
また、本発明に係る映像表示音声出力機器の他の形態は、入力された映像音声信号に基づいて映像の表示および音声の出力を行うＨＤＭＩ対応の映像表示音声出力機器であって、映像音声信号を出力するＨＤＭＩ対応の映像音声信号出力機器から通知される前記映像音声信号出力機器の状態を示すＣＥＣコマンドを受け取って、前記映像音声信号出力機器の状態を把握し、前記映像音声信号出力機器にＨＤＭＩケーブルを介して接続されているＨＤＭＩ端子から他の外部入力端子又は非外部入力に入力選択を切り替えると、前記映像音声信号出力機器の状態に応じて再生の一時停止指令又は録画開始指令のＣＥＣコマンドを、前記ＨＤＭＩケーブルを介して前記映像音声信号出力機器に通知するようにしている。
【００１４】
上記本発明に係る映像表示音声出力機器の他の形態と対となる本発明に係る映像音声信号出力機器の他の形態は、映像音声信号を出力するＨＤＭＩ対応の映像音声信号出力機器であって、記録媒体に記録されている映像音声信号を再生する再生部を有し、前記映像音声信号出力機器の状態を示すＣＥＣコマンドを、入力された映像音声信号に基づいて映像の表示および音声の出力を行うＨＤＭＩ対応の映像表示音声出力機器にＨＤＭＩケーブルを介して通知し、前記映像表示音声出力機器から通知される再生の一時停止指令のＣＥＣコマンドを受け取ると、前記再生部が再生を一時停止にするようにしている。さらに、記録媒体に映像音声信号を記録する記録部と、テレビ放送信号の選局を行うチューナとを有し、前記映像表示音声出力機器から通知される録画開始指令のＣＥＣコマンドを受け取ると、前記記録部が前記チューナからの映像音声の録画を開始するようにしてもよい。
【発明の効果】
【００１５】
本発明に係る映像音声システムによると、誤ってＨＤＭＩ対応の映像表示音声出力機器の入力選択が切り替わってしまった際に、ＨＤＭＩ対応の映像音声信号出力機器から出力される映像音声信号に基づく映像および音声をユーザが視聴し損なうことを防止することができる。
【図面の簡単な説明】
【００１６】
【図１】は、本発明に係る映像音声システムの一概略構成例を示す図である。
【図２】は、図１に示す映像音声システムの視聴し損じ防止機能に関する動作を示すフローチャートである。
【図３】は、図１に示す映像音声システムの視聴し損じ防止機能に関する他の動作を示すフローチャートである。
【図４】は、図２に示すフローチャートの第一変形例を示すフローチャートである。
【図５】は、図２に示すフローチャートの第二変形例を示すフローチャートである。
【図６】は、図２に示すフローチャートの第三変形例を示すフローチャートである。
【発明を実施するための形態】
【００１７】
本発明の実施形態について図面を参照して以下に説明する。本発明に係る映像音声システムの一概略構成例を図１に示す。
【００１８】
図１に示す映像音声システムは、ＨＤＭＩ対応の映像音声信号出力機器としてのＨＤＤ（Hard Disk Drive）搭載ＤＶＤレコーダ１００と、ＨＤＭＩ対応の映像表示音声出力機器としてのテレビジョン受像機２００と、ＨＤＤ搭載ＤＶＤレコーダ１００のＨＤＭＩ端子Ｔ１とテレビジョン受像機２００のＨＤＭＩ端子Ｔ２とを接続するＨＤＭＩケーブル３００とを備えている。
【００１９】
アンテナ４００が、ＨＤＤ搭載ＤＶＤレコーダ１００と、ＨＤＤ搭載ＤＶＤレコーダ１００を介してテレビジョン受像機２００とに接続されている。また、ＨＤＤ搭載ＤＶＤレコーダ１００はリコモン送信機１０１によって遠隔操作され、テレビジョン受像機２００はリコモン送信機２０１によって遠隔操作される。
【００２０】
次に、ＨＤＤ搭載ＤＶＤレコーダ１００の構成及びリコモン送信機１０１の構成について説明する。
【００２１】
ＨＤＤ搭載ＤＶＤレコーダ１００は、チューナ１と、映像音声処理部２と、ＯＳＤ（On Screen Display）部３と、ＨＤＭＩ送信部４と、ＨＤＤ記録再生部５と、ＤＶＤ記録再生部６と、制御部７と、不揮発性メモリ８と、受光部９と、ＨＤＭＩ端子Ｔ１とを備えている。
【００２２】
チューナ１は、アンテナ４００から受け取ったテレビ放送信号の選局及び復調（例えばＯＦＤＭ（Orthogonal Frequency Division Multiplexing）復調）を行う。映像音声処理部２は、チューナ１から受け取った映像音声信号又はＨＤＤ記録再生部５若しくはＤＶＤ記録再生部６で再生された映像音声信号をＨＤＭＩ送信部４に送ったり、チューナ１から受け取った映像音声信号をＨＤＤ記録再生部５又はＤＶＤ記録再生部６に送ったりする。ＯＳＤ部３は、制御部７からの指示に基づいて生成したＯＳＤ画像データをＨＤＭＩ送信部４に送る。ＨＤＭＩ送信部４は、映像音声信号及びＯＳＤ画像データをＨＤＭＩ端子Ｔ１に送る。
【００２３】
ＨＤＤ記録再生部５は、映像音声処理部２から受け取った映像音声信号をハードディスクに記録したり、ハードディスクに記録されている映像音声信号を再生したりする。また、ＤＶＤ記録再生部６は、映像音声処理部２から受け取った映像音声信号をＤＶＤに記録したり、ＤＶＤに記録されている映像音声信号を再生したりする。なお、ＤＶＤは、ＤＶＤ記録再生部６に対して着脱自在に装着される。
【００２４】
受光部９は、リモコン送信機１０１から送信されたリモコン赤外線信号を受光して電気信号に変換し、さらにその電気信号から操作コードを抽出して制御部７に出力する。制御部７は、不揮発性メモリ８に格納されている制御プログラム及び各種設定（例えば、各操作コードと各機能との対応関係を示すデータテーブル、ＣＥＣ（Consumer Electronics Control）コマンド等）と、受光部９から受け取った操作コードと、ＨＤＤ搭載ＤＶＤレコーダ１００本体に設けられている操作キー群（不図示）から出力される信号によって定まる操作コードとに応じて、ＨＤＤ搭載ＤＶＤレコーダ１００の各部を制御する。
【００２５】
リモコン送信機１０１は、発光部１０と、制御部１１と、複数のキーを有する操作キー群１２と、不揮発性メモリ１３とを備えている。
【００２６】
操作キー群１２は、ユーザのキー操作に応じた指示信号を制御部１１に送る。制御部１１は、不揮発性メモリ１３に格納されているデータテーブルを参照して、操作キー群１２から受け取った指示信号に対応する操作コードを発光部１０に送る。不揮発性メモリ１３に格納されているデータテーブルは、操作キー群１２から出力される各指示信号と各操作コードとの対応関係を示すデータテーブルである。発光部１０は、制御部１１から受け取った操作コードを搬送波信号に重畳し、その操作コードが重畳された搬送波信号（電気信号）をリモコン赤外線信号（光信号）に変換して出力する。
【００２７】
次に、テレビジョン受像機２００の構成及びリコモン送信機２０１の構成について説明する。
【００２８】
テレビジョン受像機２００は、チューナ２１と、映像音声処理部２２と、ＯＳＤ部２３と、表示部２４と、音声出力部２５と、ＨＤＭＩ受信部２６と、制御部２７と、不揮発性メモリ２８と、受光部２９と、ＨＤＭＩ端子Ｔ２とを備えている。なお、テレビジョン受像機２００は、ＨＤＭＩ端子Ｔ２以外のＨＤＭＩ端子を備えていてもよく、ＨＤＭＩ以外の外部入力端子（例えばＤ端子）を備えていてもよい。
【００２９】
チューナ２１は、ＨＤＤ搭載ＤＶＤレコーダ１００を介してアンテナ４００から受け取ったテレビ放送信号の選局及び復調（例えばＯＦＤＭ復調）を行う。映像音声処理部２２は、チューナ２１から受け取った映像音声信号又はＨＤＭＩ受信部２６から受け取った映像音声信号をデコードしたり、ＨＤＭＩ受信部２６から受け取ったＯＳＤ画像データを制御部２７に送ったりする。
【００３０】
ＯＳＤ部２３は、映像音声処理部２２から受け取った映像データと、制御部２７からの指示に基づいて生成したＯＳＤ画像データとを合成したり、上記合成処理を行わず映像音声処理部２２から受け取った映像データをそのまま出力したり、上記合成処理を行わず制御部２７からの指示に基づいて生成したＯＳＤ画像データをそのまま出力したりする。
【００３１】
表示部２４は、ＯＳＤ部２３の出力データに応じた表示を行い、音声出力部２５は、映像音声出力部２２から出力される音声データに応じた音声出力を行う。
【００３２】
ＨＤＭＩ受信部２６は、ＨＤＭＩケーブル３００を介して、ＨＤＤ搭載ＤＶＤレコーダ１００のＨＤＭＩ送信部４から映像音声信号やＯＳＤ画像データを受け取る。
【００３３】
受光部２９は、リモコン送信機２０１から送信されたリモコン赤外線信号を受光して電気信号に変換し、さらにその電気信号から操作コードを抽出して制御部２７に出力する。制御部２７は、不揮発性メモリ２８に格納されている制御プログラム及び各種設定（例えば、各操作コードと各機能との対応関係を示すデータテーブル、ＣＥＣコマンド、ＥＤＩＤ（Extended display identification data）等）と、受光部２９から受け取った操作コードと、テレビ受像機２００本体に設けられている操作キー群（不図示）から出力される信号によって定まる操作コードとに応じて、テレビ受像機２００の各部を制御する。
【００３４】
リモコン送信機２０１は、発光部３０と、制御部３１と、複数のキーを有する操作キー群３２と、不揮発性メモリ３３とを備えている。
【００３５】
操作キー群３２は、ユーザのキー操作に応じた指示信号を制御部３１に送る。制御部３１は、不揮発性メモリ３３に格納されているデータテーブルを参照して、操作キー群３２から受け取った指示信号に対応する操作コードを発光部３０に送る。不揮発性メモリ３３に格納されているデータテーブルは、操作キー群３２から出力される各指示信号と各操作コードとの対応関係を示すデータテーブルである。発光部３０は、制御部３１から受け取った操作コードを搬送波信号に重畳し、その操作コードが重畳された搬送波信号（電気信号）をリモコン赤外線信号（光信号）に変換して出力する。
【００３６】
次に、図１に示す映像音声システムの視聴し損じ防止機能（誤ってＨＤＭＩ対応の映像表示音声出力機器の入力選択が切り替わってしまった際に、ＨＤＭＩ対応の映像音声信号出力機器から出力される映像音声信号に基づく映像および音声をユーザが視聴し損なうことを防止する機能）に関する動作について図２に示すフローチャートを参照して説明する。
【００３７】
図２に示すフローチャートの開始時は、ＨＤＤ搭載ＤＶＤレコーダ１００及びテレビ受像機２００の電源がオンであり、ＨＤＤ搭載ＤＶＤレコーダ１００のＨＤＭＩ端子Ｔ１とテレビ受像機２００のＨＤＭＩ端子Ｔ２とがＨＤＭＩケーブル３００を介して接続されている状態である。
【００３８】
ステップＳ１０において、テレビ受像機２００が、ＨＤＭＩ端子Ｔ２（ＨＤＭＩケーブル３００を介してＨＤＤ搭載ＤＶＤレコーダ１００に接続されているＨＤＭＩ端子）を選択し、ＨＤＤ搭載ＤＶＤレコーダ１００から出力される映像音声信号に基づいて映像の表示および音声の出力を行っている状態であるか否かを、テレビ受像機２００の制御部２７が判定する。
【００３９】
テレビ受像機２００が、ＨＤＭＩ端子Ｔ２を選択し、ＨＤＤ搭載ＤＶＤレコーダ１００から出力される映像音声信号に基づいて映像の表示および音声の出力を行っている状態であれば（ステップＳ１０のＹＥＳ）、ステップＳ２０に移行する。
【００４０】
ステップＳ２０において、テレビ受像機２００が、ＨＤＭＩ端子Ｔ２から、他のＨＤＭＩ端子、ＨＤＭＩ以外の外部入力端子、或いは非外部入力のいずれかに選択を変更したか否かを、テレビ受像機２００の制御部２７が判定する。
【００４１】
選択の変更があれば（ステップＳ２０のＹＥＳ）、テレビ受像機２００の制御部２７が、ＨＤＭＩ受信部２６を用いて、テレビ受像機２００の入力選択がＨＤＭＩ端子Ｔ２から変更されたことをＣＥＣのベンダーコマンドでＨＤＤ搭載ＤＶＤレコーダ１００に通知する（ステップＳ３０）。
【００４２】
ＨＤＤ搭載ＤＶＤレコーダ１００のＨＤＭＩ送信部４は、テレビ受像機２００の入力選択がＨＤＭＩ端子Ｔ２から変更された旨のベンダーコマンドを受け取ると、当該ベンダーコマンドを制御部７に送る。ＨＤＤ搭載ＤＶＤレコーダ１００の制御部７は、テレビ受像機２００の入力選択がＨＤＭＩ端子Ｔ２から変更された旨のベンダーコマンドを受け取ると、ＨＤＤ搭載ＤＶＤレコーダ１００の状態がハードディスク又はＤＶＤに記憶されているタイトルを再生している状態かチューナ１からの映像音声をＨＤＭＩ送信している状態かを判定する（ステップＳ４０）。
【００４３】
ハードディスク又はＤＶＤに記憶されているタイトルを再生している状態であれば、ＨＤＤ搭載ＤＶＤレコーダ１００の制御部７は、再生を一時停止するように、ＨＤＤ記録再生部５又はＤＶＤ記録再生部６を制御する（ステップＳ５０）。一方、チューナ１からの映像音声をＨＤＭＩ送信している状態であれば、ＨＤＤ搭載ＤＶＤレコーダ１００の制御部７は、チューナ１からの映像音声を録画するように、映像音声処理部２とＨＤＤ記録再生部５又はＤＶＤ記録再生部６とを制御する（ステップＳ６０）。
【００４４】
以上のような動作により、誤ってテレビ受信機２００の入力選択が切り替わってしまった際に、ＨＤＤ搭載ＤＶＤレコーダ１００から出力される映像音声信号に基づく映像および音声をユーザが視聴し損なうことを防止することができる。
【００４５】
次に、図１に示す映像音声システムの視聴し損じ防止機能に関する他の動作について図３に示すフローチャートを参照して説明する。なお、図３において図２と同一のステップについて同一の符号を付す。
【００４６】
図３に示すフローチャートの開始時は、ＨＤＤ搭載ＤＶＤレコーダ１００及びテレビ受像機２００の電源がオンであり、ＨＤＤ搭載ＤＶＤレコーダ１００のＨＤＭＩ端子Ｔ１とテレビ受像機２００のＨＤＭＩ端子Ｔ２とがＨＤＭＩケーブル３００を介して接続されている状態である。
【００４７】
ステップＳ１０において、テレビ受像機２００が、ＨＤＭＩ端子Ｔ２（ＨＤＭＩケーブル３００を介してＨＤＤ搭載ＤＶＤレコーダ１００に接続されているＨＤＭＩ端子）を選択し、ＨＤＤ搭載ＤＶＤレコーダ１００から出力される映像音声信号に基づいて映像の表示および音声の出力を行っている状態であるか否かを、テレビ受像機２００の制御部２７が判定する。
【００４８】
テレビ受像機２００が、ＨＤＭＩ端子Ｔ２を選択し、ＨＤＤ搭載ＤＶＤレコーダ１００から出力される映像音声信号に基づいて映像の表示および音声の出力を行っている状態であれば（ステップＳ１０のＹＥＳ）、ステップＳ１１に移行する。
【００４９】
ＨＤＤ搭載ＤＶＤレコーダ１００の制御部７は、ＨＤＭＩ送信部４を用いて、ＨＤＤ搭載ＤＶＤレコーダ１００の状態をＣＥＣのベンダーコマンドでテレビ受信機２００に通知している。ステップＳ１１において、テレビ受信機２００の制御部２７は、テレビ受信機２００のＨＤＭＩ受信部２６が受け取ったＨＤＤ搭載ＤＶＤレコーダ１００の状態を示すベンダーコマンドを取得する。
【００５０】
ステップＳ１１に続くステップＳ２０において、テレビ受像機２００が、ＨＤＭＩ端子Ｔ２から、他のＨＤＭＩ端子、ＨＤＭＩ以外の外部入力端子、或いは非外部入力のいずれかに選択を変更したか否かを、テレビ受像機２００の制御部２７が判定する。
【００５１】
選択の変更があれば（ステップＳ２０のＹＥＳ）、テレビ受像機２００の制御部２７は、ステップＳ１１で取得したＨＤＤ搭載ＤＶＤレコーダ１００の状態がハードディスク又はＤＶＤに記憶されているタイトルを再生している状態かチューナ１からの映像音声をＨＤＭＩ送信している状態かを判定する（ステップＳ４１）。
【００５２】
ＨＤＤ搭載ＤＶＤレコーダ１００の状態がハードディスク又はＤＶＤに記憶されているタイトルを再生している状態であれば、テレビ受信機２００の制御部２７は、ＨＤＭＩ受信部２６を用いて、再生の一時停止指令をＣＥＣのベンダーコマンドでＨＤＤ搭載ＤＶＤレコーダ１００に通知する（ステップＳ５１）。ＨＤＤ搭載ＤＶＤレコーダ１００のＨＤＭＩ送信部４は、再生の一時停止指令を示すベンダーコマンドを受け取ると、当該ベンダーコマンドを制御部７に送る。ＨＤＤ搭載ＤＶＤレコーダ１００の制御部７は、再生の一時停止指令を示すベンダーコマンドを受け取ると、再生を一時停止するように、ＨＤＤ記録再生部５又はＤＶＤ記録再生部６を制御する。
【００５３】
一方、ＨＤＤ搭載ＤＶＤレコーダ１００の状態がチューナ１からの映像音声をＨＤＭＩ送信している状態であれば、テレビ受信機２００の制御部２７は、ＨＤＭＩ受信部２６を用いて、録画開始指令をＣＥＣの共通コマンドでＨＤＤ搭載ＤＶＤレコーダ１００に通知する（ステップＳ６１）。ＨＤＤ搭載ＤＶＤレコーダ１００のＨＤＭＩ送信部４は、録画開始指令を示すベンダーコマンドを受け取ると、当該ベンダーコマンドを制御部７に送る。ＨＤＤ搭載ＤＶＤレコーダ１００の制御部７は、録画開始指令を示すベンダーコマンドを受け取ると、チューナ１からの映像音声を録画するように、映像音声処理部２とＨＤＤ記録再生部５又はＤＶＤ記録再生部６とを制御する。
【００５４】
以上のような動作により、誤ってテレビ受信機２００の入力選択が切り替わってしまった際に、ＨＤＤ搭載ＤＶＤレコーダ１００から出力される映像音声信号に基づく映像および音声をユーザが視聴し損なうことを防止することができる。
【００５５】
なお、レコーダをプレイヤに変更した場合等は、例えば図２に示すフローチャートのステップＳ６０や図３に示すフローチャートのステップＳ６１を取り除くことになり、ＨＤＭＩ対応の映像表示音声出力機器から出力される再生映像音声信号に基づく映像および音声をユーザが視聴し損なうことを防止できるが、ＨＤＭＩ対応の映像表示音声出力機器内部のチューナからの映像音声をＨＤＭＩ対応の映像表示音声出力機器がＨＤＭＩ送信した映像音声信号に基づく映像および音声をユーザが視聴し損なうことを防止できない。しかしながら、ＨＤＭＩ対応の映像表示音声出力機器から出力される再生映像音声信号に基づく映像および音声をユーザが視聴し損なうことを防止できるが、ＨＤＭＩ対応の映像表示音声出力機器内部のチューナからの映像音声をＨＤＭＩ対応の映像表示音声出力機器がＨＤＭＩ送信した映像音声信号に基づく映像および音声をユーザが視聴し損なうことを防止できない映像音声システムも、限定的ながら、誤ってテレビ受信機２００の入力選択が切り替わってしまった際に、ＨＤＤ搭載ＤＶＤレコーダ１００から出力される映像音声信号に基づく映像および音声をユーザが視聴し損なうことを防止することができるので、本発明に含まれるものとする。
【００５６】
次に、図２に示すフローチャートの第一変形例を図４に示す。なお、図４において図２と同一のステップについては同一の符号を付し、詳細な説明を省略する。
【００５７】
図４に示すフローチャートは、図２に示すフローチャートにステップＳ７０及びステップＳ８０を追加したものである。
【００５８】
ステップＳ５０又はステップＳ６０の処理の後、テレビ受像機２００が、ＨＤＭＩ端子Ｔ２を選択し、ＨＤＤ搭載ＤＶＤレコーダ１００から出力される映像音声信号に基づいて映像の表示および音声の出力を行っている状態であるか否か、すなわち、テレビ受像機２００の入力選択がＨＤＭＩ端子Ｔ２に戻ったか否かを、テレビ受像機２００の制御部２７が判定する（ステップＳ７０）。
【００５９】
テレビ受像機２００の入力選択がＨＤＭＩ端子Ｔ２に戻れば（ステップＳ７０のＹＥＳ）、ＨＤＤ搭載ＤＶＤレコーダ１００は、再生の一時停止解除又は録画停止を行う（ステップＳ８０）。ステップＳ８０では、例えば、テレビ受像機２００の制御部２７が、ＨＤＭＩ受信部２６を用いて、テレビ受像機２００の入力選択がＨＤＭＩ端子Ｔ２に戻ったことをＣＥＣのベンダーコマンドでＨＤＤ搭載ＤＶＤレコーダ１００に通知し、ＨＤＤ搭載ＤＶＤレコーダ１００のＨＤＭＩ送信部４が、当該ベンダーコマンドを制御部７に送り、ＨＤＤ搭載ＤＶＤレコーダ１００の制御部７が、当該ベンダーコマンドを受け取ると、再生の一時停止解除又は録画停止を行うように、ＨＤＤ記録再生部５又はＤＶＤ記録再生部６を制御するようにすればよい。
【００６０】
図４に示すフローチャートの動作によると、テレビ受像機２００の入力選択がＨＤＭＩ端子Ｔ２に戻ると、自動的に再生の一時停止解除又は録画停止が実行されるので、利便性が向上する。
【００６１】
なお、図３に示すフローチャートについても同様の変形を行うことができる。図３に示すフローチャートについても同様の変形を行う場合、ステップＳ８０では、例えば、テレビ受信機２００の制御部２７が、ＨＤＭＩ受信部２６を用いて、再生の一時停止解除指令又は録画停止指令をＣＥＣのベンダーコマンド又は共通コマンドでＨＤＤ搭載ＤＶＤレコーダ１００に通知し、ＨＤＤ搭載ＤＶＤレコーダ１００のＨＤＭＩ送信部４が、当該ベンダーコマンド又は共通コマンドを制御部７に送り、ＨＤＤ搭載ＤＶＤレコーダ１００の制御部７が、当該ベンダーコマンド又は共通コマンドを受け取ると、再生の一時停止解除又は録画停止を行うように、ＨＤＤ記録再生部５又はＤＶＤ記録再生部６を制御するようにすればよい。
【００６２】
次に、図２に示すフローチャートの第二変形例を図５に示す。なお、図５において図２と同一のステップについては同一の符号を付し、詳細な説明を省略する。
【００６３】
図５に示すフローチャートは、図２に示すフローチャートにステップＳ６２、ステップＳ６３、ステップＳ７０、及びステップＳ８０を追加したものである。
【００６４】
ステップＳ５０又はステップＳ６０の処理の後、ＨＤＤ搭載ＤＶＤレコーダ１００の制御部７は、自己のタイマ機能を用いて、録画時間が予め設定している上限を超えたか否かを判定する（ステップＳ６２）。録画時間が上限を超えていれば（ステップＳ６２のＹＥＳ）、ＨＤＤ搭載ＤＶＤレコーダ１００の制御部７は、録画を停止するように、ＨＤＤ記録再生部５又はＤＶＤ記録再生部６を制御する（ステップＳ６３）。一方、録画時間が上限を超えていなければ（ステップＳ６２のＮＯ）、テレビ受像機２００が、ＨＤＭＩ端子Ｔ２を選択し、ＨＤＤ搭載ＤＶＤレコーダ１００から出力される映像音声信号に基づいて映像の表示および音声の出力を行っている状態であるか否か、すなわち、テレビ受像機２００の入力選択がＨＤＭＩ端子Ｔ２に戻ったか否かを、テレビ受像機２００の制御部２７が判定する（ステップＳ７０）。
【００６５】
テレビ受像機２００の入力選択がＨＤＭＩ端子Ｔ２に戻れば（ステップＳ７０のＹＥＳ）、ＨＤＤ搭載ＤＶＤレコーダ１００は、再生の一時停止解除又は録画停止を行う（ステップＳ８０）。ステップＳ８０では、例えば、テレビ受像機２００の制御部２７が、ＨＤＭＩ受信部２６を用いて、テレビ受像機２００の入力選択がＨＤＭＩ端子Ｔ２に戻ったことをＣＥＣのベンダーコマンドでＨＤＤ搭載ＤＶＤレコーダ１００に通知し、ＨＤＤ搭載ＤＶＤレコーダ１００のＨＤＭＩ送信部４が、当該ベンダーコマンドを制御部７に送り、ＨＤＤ搭載ＤＶＤレコーダ１００の制御部７が、当該ベンダーコマンドを受け取ると、再生の一時停止解除又は録画停止を行うように、ＨＤＤ記録再生部５又はＤＶＤ記録再生部６を制御するようにすればよい。
【００６６】
図５に示すフローチャートの動作によると、テレビ受像機２００の入力選択がＨＤＭＩ端子Ｔ２に戻ると、自動的に再生の一時停止解除又は録画停止が実行されるので、利便性が向上する。また、図５に示すフローチャートの動作によると、録画時間が上限を超えると、自動的に録画停止が実行されるので、テレビ受像機２００の入力選択がＨＤＭＩ端子Ｔ２に戻らない場合に、録画が延々と続行されることを防止することができる。
【００６７】
次に、図２に示すフローチャートの第三変形例を図６に示す。なお、図６において図２と同一のステップについては同一の符号を付し、詳細な説明を省略する。
【００６８】
図６に示すフローチャートは、図２に示すフローチャートにステップＳ６４、ステップＳ６５、ステップＳ７０、及びステップＳ８０を追加したものである。
【００６９】
ステップＳ５０又はステップＳ６０の処理の後、ＨＤＤ搭載ＤＶＤレコーダ１００の制御部７は、自己のタイマ機能を用いて、ステップＳ２０において選択の変更があると判定されてから予め設定している所定の時間が経過したか否かを判定する（ステップＳ６４）。選択の変更があると判定されてから所定の時間が経過していれば、すなわち、所定の時間以内にテレビ受像機２００の入力選択がＨＤＭＩ端子Ｔ２に戻らなければ（ステップＳ６４のＹＥＳ）、誤操作による入力選択の変更ではなかったと考えられるため、ＨＤＤ搭載ＤＶＤレコーダ１００の制御部７は、録画を停止し録画内容を消去するように、ＨＤＤ記録再生部５又はＤＶＤ記録再生部６を制御する（ステップＳ６５）。一方、選択の変更があると判定されてから所定の時間が経過していなければ（ステップＳ６４のＮＯ）、テレビ受像機２００が、ＨＤＭＩ端子Ｔ２を選択し、ＨＤＤ搭載ＤＶＤレコーダ１００から出力される映像音声信号に基づいて映像の表示および音声の出力を行っている状態であるか否か、すなわち、テレビ受像機２００の入力選択がＨＤＭＩ端子Ｔ２に戻ったか否かを、テレビ受像機２００の制御部２７が判定する（ステップＳ７０）。
【００７０】
テレビ受像機２００の入力選択がＨＤＭＩ端子Ｔ２に戻れば（ステップＳ７０のＹＥＳ）、ＨＤＤ搭載ＤＶＤレコーダ１００は、再生の一時停止解除又は録画停止を行う（ステップＳ８０）。ステップＳ８０では、例えば、テレビ受像機２００の制御部２７が、ＨＤＭＩ受信部２６を用いて、テレビ受像機２００の入力選択がＨＤＭＩ端子Ｔ２に戻ったことをＣＥＣのベンダーコマンドでＨＤＤ搭載ＤＶＤレコーダ１００に通知し、ＨＤＤ搭載ＤＶＤレコーダ１００のＨＤＭＩ送信部４が、当該ベンダーコマンドを制御部７に送り、ＨＤＤ搭載ＤＶＤレコーダ１００の制御部７が、当該ベンダーコマンドを受け取ると、再生の一時停止解除又は録画停止を行うように、ＨＤＤ記録再生部５又はＤＶＤ記録再生部６を制御するようにすればよい。
【００７１】
図６に示すフローチャートの動作によると、テレビ受像機２００の入力選択がＨＤＭＩ端子Ｔ２に戻ると、自動的に再生の一時停止解除又は録画停止が実行されるので、利便性が向上する。また、図６に示すフローチャートの動作によると、所定の時間以内にテレビ受像機２００の入力選択がＨＤＭＩ端子Ｔ２に戻らなければ、誤操作による入力選択の変更ではなかったと考えられるため、自動的に録画停止され録画内容の消去が実行されるので、誤操作でない入力選択の変更に伴って無駄な録画が残ることを防止することができる。
【符号の説明】
【００７２】
１、２１  チューナ
２、２２  映像音声処理部
３、２３  ＯＳＤ部
４  ＨＤＭＩ送信部
５  ＨＤＤ記録再生部
６  ＤＶＤ記録再生部
７、２７  制御部
８、２８  不揮発性メモリ
９  受光部
１０、３０  発光部
１１、３１  制御部
１２、３２  操作キー群
１３、３３  不揮発性メモリ
２４  表示部
２５  音声出力部
２６  ＨＤＭＩ受信部
１００  ＨＤＤ搭載ＤＶＤレコーダ（映像音声信号出力機器の一例）
１０１  リコモン送信機
２００  テレビ受像機（映像表示音声出力機器の一例）
２０１  リコモン送信機
３００  ＨＤＭＩケーブル
４００  アンテナ
【図１】
2010177856.tif 000003
【図２】
2010177856.tif 000004
【図３】
2010177856.tif 000005
【図４】
2010177856.tif 000006
【図５】
2010177856.tif 000007
【図６】
2010177856.tif 000008